(57)【要約】【課題】液晶表示装置において、液晶パネルのアクティブエリアを広げ、さらなる狭額縁化を図る。【解決手段】筐体２と、筐体２の正面を覆うカバーパネル３と、カバーパネル３の背面側に配置されてカバーパネル３よりも狭い面積のアクティブエリアＡを有する液晶パネル５と、液晶パネル５を背面側から照らすバックライト７とを備える液晶表示装置１において、筐体２における液晶パネル５の背面側に透明又は半透明の透光体６を一体に成形し、透光体６の背面側にバックライト７を保持するバックライトフレーム７ａを貼り付ける。【選択図】図１
2015152635.tif 000002
【特許請求の範囲】
【請求項１】
筐体と、該筐体の正面を覆うカバーパネルと、該カバーパネルの背面側に配置されて該カバーパネルよりも狭い面積のアクティブエリアを有する液晶パネルと、該液晶パネルを背面側から照らすバックライトとを備える液晶表示装置において、
上記筐体には、上記液晶パネルの背面側に透明又は半透明の透光体が一体に成形され、該透光体の背面側に上記バックライトを保持するバックライトフレームが貼り付けられている
ことを特徴とする液晶表示装置。
【請求項２】
筐体と、該筐体の正面を覆うカバーパネルと、該カバーパネルの背面側に配置されて該カバーパネルよりも狭い面積のアクティブエリアを有する液晶パネルと、該液晶パネルを背面側から照らすバックライトとを備える液晶表示装置において、
上記筐体には、上記液晶パネルの背面側に透明又は半透明の透光体が一体に成形され、該透光体の背面側には反射シートが貼り付けられ、該反射シートは、正面から見て上記アクティブエリアの外側に設けた発光体の光を反射するように構成され、
上記バックライトは、上記透光体と上記発光体と上記反射シートとを含む
ことを特徴とする液晶表示装置。
【請求項３】
請求項１又は２に記載の液晶表示装置において、
上記液晶パネルの正面側は、上記カバーパネルの背面に貼り付けられ、
上記液晶パネルの背面側は、上記透光体の正面に貼り付けられている
ことを特徴とする液晶表示装置。
【請求項４】
請求項１から３までのいずれか１つに記載の液晶表示装置において、
上記液晶パネルと上記透光体との間には、光学シートが配置されている
ことを特徴とする液晶表示装置。
【請求項５】
筐体と、該筐体の正面を覆うカバーパネルと、該カバーパネルの背面側に配置されて該カバーパネルよりも狭い面積のアクティブエリアを有する液晶パネルと、該液晶パネルを背面側から照らすバックライトとを備える液晶表示装置において、
上記筐体には、正面から見て少なくとも上記カバーパネルの内側かつ上記液晶パネルのアクティブエリアの外側まで延びるバックライト貼付部が形成され、
上記バックライト貼付部の背面側に上記バックライトを保持するバックライトフレームが貼り付けられている
ことを特徴とする液晶表示装置。
【発明の詳細な説明】
【技術分野】
【０００１】
本発明は、液晶パネルを有する液晶表示装置であって、特にそのバックライトの構成に関する。
【背景技術】
【０００２】
従来より、筐体と、筐体の正面を覆うカバーパネルと、カバーパネルの背面側に配置されてカバーパネルよりも狭い面積のアクティブエリアを有する液晶パネルと、液晶パネルを背面側から照らすバックライトとを備える液晶表示装置は知られている。
【０００３】
例えば、特許文献１の液晶表示装置では、樹脂フレームの第１面及び第２面を貫通する穴によって形成された収納スペースに導光板を配置し、この導光板に樹脂フレームの第１面に固定された液晶表示パネルを重ね、樹脂フレームの穴を第１面の開口よりも第２面の開口が小さくなるように傾斜した内周面によって形成し、導光板を傾斜した外周面を有し、内周面と外周面が対向するように収納スペースに配置している。
【先行技術文献】
【特許文献】
【０００４】
【特許文献１】特開２０１１−２０３６３９号公報
【発明の概要】
【発明が解決しようとする課題】
【０００５】
特許文献１のような従来の液晶表示装置では、導光板、光学シート等のバックライトユニットを筐体で外側から囲んで保持している。このような導光板等を嵌め込む構成は、組立が煩雑で寸法管理も重要となる上に、傾斜面部で光ムラが起こりやすい。
【０００６】
一方、液晶表示装置は、図７に示すように、液晶パネル２０５の画像全体を明るく表示するためには、バックライト２０７の発光エリアＢが液晶パネル２０５のアクティブエリアＡよりも広い必要がある（Ａ＜Ｂ）。
【０００７】
近年、携帯電話機などでは、狭額縁化によりできるだけ液晶パネル２０５のアクティブエリアを広くすることが求められている。図８に示すように、この場合、固定用両面テープ２０７ｂの貼り付け領域を確保すると、バックライトフレーム２０７ａ及び両面テープ２０７ｂよりも外側に液晶パネル２０５のアクティブエリアＡがくることになり（Ａ＞Ｂ）、特に図８で狭いハッチングで示す領域において表示品質を保つことができない。
【０００８】
本発明は、かかる点に鑑みてなされたものであり、その目的とするところは、液晶パネルのアクティブエリアを広げ、さらなる狭額縁化を図ることにある。
【課題を解決するための手段】
【０００９】
上記の目的を達成するために、本発明では、筐体と、該筐体の正面を覆うカバーパネルと、該カバーパネルの背面側に配置されて該カバーパネルよりも狭い面積のアクティブエリアを有する液晶パネルと、該液晶パネルを背面側から照らすバックライトとを備える液晶表示装置を前提とする。
【００１０】
そして、上記筐体には、上記液晶パネルの背面側に透明又は半透明の透光体が一体に成形され、該透光体の背面側に上記バックライトを保持するバックライトフレームが貼り付けられている。
【００１１】
上記の構成によると、透光体を筐体に一体に成形しているので、透光体を嵌め込む場合のようには筐体の肉厚（幅）をあげる必要がない。また、液晶パネルの背面側に直接バックライトフレームを貼り付ける場合に比べてバックライトフレームをアクティブエリアよりも外側の領域において透光体に貼り付けることができるので、バックライトの発光エリアを広げることができ、アクティブエリアを広げることができる。バックライトフレームの固定位置を従来よりあるアクティブエリアＡの外側の額縁内に持ってくることができるので、額縁を広げる必要はない。さらに、液晶パネルが透光体で保護されるので、液晶パネルに虹模様などの不具合が発生しにくい。
【００１２】
また、別の観点では、上記前提の液晶表示装置において、上記筐体には、上記液晶パネルの背面側に透明又は半透明の透光体が一体に成形され、該透光体の背面側には反射シートが貼り付けられ、該反射シートは、正面から見て上記アクティブエリアの外側に設けた発光体の光を反射するように構成され、
上記バックライトは、上記透光体と上記発光体と上記反射シートとを含む構成とする。
【００１３】
この構成によると、透光体を筐体に一体に成形しているので、透光体を嵌め込む場合のようには筐体の肉厚をあげる必要がない。また、発光体を従来よりある額縁内に配置しているので、額縁を広げる必要がない。さらに、液晶パネルのアクティブエリアよりも広がる透光体に発光体から光を当てて反射シートで反射させているので、アクティブエリアよりも外側にも光を当てることができる。このため、アクティブエリアをできるだけ広く取ることができる。
【００１４】
さらに別の観点では、上記前提の液晶表示装置において、上記筐体には、正面から見て少なくとも上記カバーパネルの内側かつ上記液晶パネルのアクティブエリアの外側まで延びるバックライト貼付部が形成され、
上記バックライト貼付部の背面側に上記バックライトを保持するバックライトフレームが貼り付けられている。
【００１５】
この構成によると、バックライト貼付部は、従来よりある額縁内に形成できるので、額縁を広げる必要はない。また、液晶パネルよりも外側までバックライトの発光エリアを広げることができるので、従来よりもさらにアクティブエリアを広げることができる。
【発明の効果】
【００１６】
以上説明したように、本発明によれば、バックライトの発光エリアを広げるようにしたことにより、液晶パネルのアクティブエリアを広げ、さらなる狭額縁化を図ることができる。
【図面の簡単な説明】
【００１７】
【図１】本発明の実施形態１に係る液晶表示装置を示す断面図である。
【図２】本発明の実施形態１の変形例に係る液晶表示装置を示す断面図である。
【図３】本発明の実施形態２に係る液晶表示装置を示す断面図である。
【図４】本発明の実施形態２の変形例に係る液晶表示装置を示す断面図である。
【図５】本発明の実施形態３に係る液晶表示装置を示す断面図である。
【図６】本発明の実施形態４に係る液晶表示装置を示す断面図である。
【図７】従来技術に係る液晶表示装置を示す断面図である。
【図８】従来技術の問題を説明する断面図である。
【発明を実施するための形態】
【００１８】
以下、本発明の実施形態を図面に基づいて説明する。
【００１９】
（実施形態１）
図１は、本発明の実施形態１の液晶表示装置１を示し、この液晶表示装置１は、その外周を覆う筐体２を備えている。液晶表示装置１は、例えばスマートフォンの表示部を構成している。筐体２は、例えば、樹脂成形品よりなるスマートフォンの正面側キャビネットである。この筐体２の正面は、例えば矩形板状の板ガラス、アクリル板などのカバーパネル３で覆われている。カバーパネル３は、例えば枠状の両面テープ４で、筐体２の枠状貼付部２ａに貼り付けられている。
【００２０】
カバーパネル３の背面側には、カバーパネル３よりも狭い面積のアクティブエリアＡを有する矩形板状の液晶パネル５を備えている。液晶パネル５内には、液晶が内蔵されている。カバーパネル３の裏面にタッチパネルが貼り付けられてもよく、また、カバーパネル３自体がタッチパネルであってもよい。液晶パネル５は、カバーパネル３の背面に例えば矩形シート状の透明なＯＣＡテープ５ａによって貼り付けられている。
【００２１】
そして、筐体２における液晶パネル５の背面側には、透光体６が一体に成形されている。例えば、透光体６は、液晶パネルの外形よりも大きな外形を有する透明なガラス板よりなり、筐体２を構成する樹脂材料にインサート成形されている。透光体６の背面側には、液晶パネル５を照らすためのバックライト７が設けられている。バックライト７は、導光板、導光体を覆うバックライトフレーム７ａ、反射シート、発光体等を備えている。樹脂成形品などよりなるバックライトフレーム７ａが例えば矩形枠状のフレーム固定用テープ７ｂによって透光体６の背面に貼り付けられている。フレーム固定用テープ７ｂの貼付範囲は、少なくともアクティブエリアＡよりも外側であるのが望ましい。
【００２２】
このように本実施形態では、透光体６を筐体２に一体にインサート成形しているので、透光体６を嵌め込む場合のようには筐体２の強度を保つために肉厚（幅）をあげる必要がない。
【００２３】
また、液晶パネル５の背面側に直接バックライトフレーム７ａを貼り付ける場合に比べ、バックライトフレーム７ａを液晶パネル５よりも外側の領域において透光体６に貼り付けることができるので、バックライト７の発光エリアＢを広げることができ、その結果、液晶パネル５のアクティブエリアＡを広げることができる。
【００２４】
また、バックライトフレーム７ａの固定位置を従来よりあるアクティブエリアＡの外側の額縁範囲Ｃ内に持ってくることができるので、額縁範囲Ｃを広げる必要はない。
【００２５】
さらに、液晶パネル５が、平板状の正面が平坦な透光体６で保護されるので、正面側から力が加わっても、液晶パネル５に虹模様などの不具合が発生しにくい。
【００２６】
したがって、本実施形態に係る液晶表示装置１によると、液晶パネル５のアクティブエリアＡを広げ、さらなる狭額縁化を図ることができる。
【００２７】
−実施形態１の変形例−
図２は本発明の実施形態１の変形例を示し、液晶パネル５と透光体６との貼付関係が異なる点で上記実施形態と異なる。なお、以下の各実施形態及び各変形例では、図１と同じ部分については同じ符号を付してその詳細な説明は省略する。
【００２８】
本変形例では、液晶パネル５の正面側は、カバーパネル３の背面にＯＣＡテープ５ａで貼り付けられると共に、液晶パネル５の背面側が矩形シート状のＯＣＡテープ１０１によって透光体６の正面に貼り付けられている。
【００２９】
このように構成すれば、カバーパネル３を筐体２に貼り付ける必要がなくなるので、接着強度を保つために枠状貼付部２ａの幅を保つ必要がない。このため、額縁範囲Ｃをさらに狭くすることができる。
【００３０】
また、液晶パネル５と透光体６とがＯＣＡテープ１０１でしっかりと貼り付けられるので、液晶パネル５は透光体６で確実に保護される。
【００３１】
（実施形態２）
図３は本発明の実施形態２を示し、バックライト１０７が透光体６に形成されている点が異なる点で上記実施形態１と異なる。
【００３２】
すなわち、本実施形態では、筐体２にインサート成形された例えば透明なガラス板よりなる透光体６の一端側に発光体用開口１０４が形成され、その内部にＬＥＤなどの発光体１０３が内蔵されている。発光体用開口１０４は、液晶パネル５やタッチパネルから延びるフレキシブル基板（図示せず）等が設けられる、他の部分よりも広い額縁範囲Ｃ’に設けられている。
【００３３】
例えば、透光体６は、矩形板状で、その背面側に反射シート１０２が貼り付けられている。この反射シート１０２は、正面から見てアクティブエリアＡの外側に設けた発光体１０３の光を液晶パネル５側へ反射するように構成されている。
【００３４】
バックライト１０７は、導光板としての役割を果たす透光体６と、上記発光体１０３と、上記反射シート１０２等で構成されている。
【００３５】
このように、本実施形態でも、透光体６を筐体２に一体にインサート成形しているので、透光体６を嵌め込む場合のようには筐体２の肉厚をあげる必要がないため、厚みを薄くできる。
【００３６】
また、発光体１０３を従来よりある広い額縁範囲Ｃ’内に配置しているので、額縁範囲Ｃ’を広げる必要がない。
【００３７】
さらに、液晶パネル５のアクティブエリアＡよりも広がる透光体６に発光体１０３から光を当てて反射シート１０２で反射させているので、アクティブエリアＡよりも外側にも光を当てることができる。このため、アクティブエリアＡをできるだけ広く取ることができる。
【００３８】
−実施形態２の変形例−
図４は本発明の実施形態２の変形例を示し、発光体１０３の固定部分の形状が異なる点で上記実施形態２と異なる。
【００３９】
つまり本変形例では、発光体用開口１０４は、例えばガラス板で構成された透光体６に予め設けた幅方向側面が開口した切欠１０５で構成されている。この切欠１０５内に発光体１０３が固定されている。切欠１０５の幅方向端部は、インサート成形時に樹脂が充填されている。
【００４０】
本変形例でも、実施形態２と同じ作用効果が得られる。
【００４１】
（実施形態３）
図５は本発明の実施形態３を示し、光学シート１０６が設けられている。すなわち、液晶パネル５と透光体６との間には、光学シート１０６が配置されている。なお、光学シート１０６は、１枚でも複数枚を重ねたものでもよい。光学シート１０６は、矩形枠状又は矩形シート状のＯＣＡテープ１０６ａで背面側を透光体６に貼り付けられ、正面側を矩形シート状のＯＣＡテープ１０６ｂで液晶パネル５の背面に貼り付けられている。光学シート１０６は、例えばポリエステル、アクリル等よりなり、これを設けることにより、輝度が向上し、光ムラが改善される。
【００４２】
この構成によると、透光体６からの光を輝度や色のムラをなくして液晶パネル５に伝えることができるので、光学性能がさらに向上する。
【００４３】
（実施形態４）
図６は本発明の実施形態４を示し、バックライト７の固定方法が異なる点で上記実施形態１〜３と異なる。
【００４４】
すなわち、本実施形態では、透光体６は存在せず、筐体２には、正面から見て少なくともカバーパネル３の内側かつ液晶パネル５のアクティブエリアＡの外側まで延びるバックライト貼付部１０８が例えば矩形枠状に形成されている。このバックライト貼付部１０８の背面側にバックライト７を保持するバックライトフレーム７ａがフレーム固定用テープ７ｂにより貼り付けられている。
【００４５】
この構成によると、バックライト貼付部１０８は、従来よりある額縁範囲Ｃ内に形成できるので、額縁を広げる必要はない。
【００４６】
また、液晶パネル５よりも外側までバックライト７の発光エリアＢを広げることができるので、従来よりもさらにアクティブエリアＡを広げることができる。
【００４７】
本実施形態では、上記実施形態１よりも、薄く、安価に液晶表示装置１をつくることができる。
【００４８】
（その他の実施形態）
本発明は、上記実施形態について、以下のような構成としてもよい。
【００４９】
すなわち、上記実施形態では、透光体６は、透明なガラス板で構成したが、透明な樹脂材料のプレートでもよく、半透明のガラス板又は樹脂製プレートでもよい。また、筐体２自体を透明又は半透明の材料で構成してもよく、その場合、透光体６はインサート成形ではなく、同じ材料の射出成形で一体に成形してもよい。また、予め成形した透光体６を別に成形した筐体２の凹部に嵌め込んで固定してもよい。また、筐体２を金属成形品で形成する場合には、透光体６を嵌め込んで一体にしてもよい。
【００５０】
また、上記各実施形態では、カバーパネル３は板状であるとしたが、箱状であってもよい。
【００５１】
本発明の液晶表示装置は、単なる液晶ディスプレイだけではなく、液晶パネル５を含むものであれば、タブレット端末、ＰＨＳ（Personal Handy-phone System）、ＰＤＡ(Personal Digital Assistant)、パソコン、モバイルツール、電子辞書、電卓、ゲーム機等であってもよく、液晶テレビ等であってもよい。特にスマートフォンなど携帯性を重視する携帯端末に含まれる液晶表示装置において本発明の作用効果が顕著にあらわれる。
【００５２】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００５３】
１      液晶表示装置
２      筐体
２ａ    枠状貼付部
３      カバーパネル
４      両面テープ
５      液晶パネル
５ａ    ＯＣＡテープ 
６      透光体
７      バックライト
７ａ    バックライトフレーム
７ｂ    フレーム固定用テープ
１０１      ＯＣＡテープ
１０２      反射シート
１０３      発光体
１０４      発光体用開口
１０５      切欠
１０６      光学シート
１０６ａ    ＯＣＡテープ
１０６ｂ    ＯＣＡテープ
１０７      バックライト
１０８      バックライト貼付部
【図１】
2015152635.tif 000003
【図２】
2015152635.tif 000004
【図３】
2015152635.tif 000005
【図４】
2015152635.tif 000006
【図５】
2015152635.tif 000007
【図６】
2015152635.tif 000008
【図７】
2015152635.tif 000009
【図８】
2015152635.tif 000010